(57)【要約】【課題】印刷条件の入力が妨げられる原因等を告知する際にユーザの手間を軽減させることが可能な印刷条件設定装置、印刷条件設定プログラム及び印刷条件設定方法を提供する。【解決手段】印刷条件設定装置１は、複数の項目を表示する出力部４０と、出力部４０により表示される複数の項目に印刷条件を入力する入力操作を受け付ける入力部１０と、を備え、出力部４０は、複数の項目のうち少なくとも１つの項目について、印刷条件の入力を妨げる原因がある場合、少なくとも１つの項目に対応する箇所に、原因の内容及び原因の数の少なくとも一方を表示する。【選択図】図１
2010066819.tif 000002
【特許請求の範囲】
【請求項１】
印刷機器が印刷を行う際の印刷条件を設定する印刷条件設定装置であって、
複数の項目を表示する表示手段と、
前記表示手段により表示される複数の項目に印刷条件を入力する入力操作を受け付ける操作手段と、を備え、
前記表示手段は、前記複数の項目のうち少なくとも１つの項目について、印刷条件の入力を妨げる原因がある場合、前記少なくとも１つの項目に対応する箇所に、前記原因の内容及び前記原因の数の少なくとも一方を表示する
ことを特徴とする印刷条件設定装置。
【請求項２】
前記原因がユーザにより解消可能であるか否かを判断する解消判断手段をさらに備え、
前記表示手段は、前記解消判断手段により前記原因が解消可能でないと判断された場合、前記原因の内容を表示する
ことを特徴とする請求項１に記載の印刷条件設定装置。
【請求項３】
前記解消判断手段により前記原因が解消可能でないと判断された場合、解消可能でない原因の数をカウントするカウント手段をさらに備え、
前記表示手段は、前記カウント手段によりカウントされた原因の数が２以上ある場合、２以上の原因のうち最も優先度が高いものの原因の内容を表示する
ことを特徴とする請求項２に記載の印刷条件設定装置。
【請求項４】
前記原因がユーザにより解消可能であるか否かを判断する解消判断手段と、
前記解消判断手段により前記原因が解消可能であると判断された場合、解消可能である原因の数をカウントするカウント手段と、をさらに備え、
前記表示手段は、前記カウント手段によりカウントされた原因の数が２以上ある場合、前記原因の数を表示する
ことを特徴とする請求項１に記載の印刷条件設定装置。
【請求項５】
前記カウント手段によりカウントされた解消可能である原因の数が２以上ない場合に、その原因が予め設定された基本項目に該当するかを判断する基本項目判断手段をさらに備え、
前記基本項目判断手段により前記原因が基本項目に該当すると判断された場合、前記原因の内容を表示する
ことを特徴とする請求項４に記載の印刷条件設定装置。
【請求項６】
前記基本項目判断手段により前記原因が基本項目に該当しないと判断された場合、前記原因の数を表示する
を有することを特徴とする請求項５に記載の印刷条件設定装置。
【請求項７】
印刷機器が印刷を行う際の印刷条件を設定する印刷条件設定プログラムであって、
複数の項目を表示する表示工程と、
前記表示工程において表示される複数の項目に印刷条件を入力する入力操作を受け付ける操作工程と、をコンピュータに実行させ、
前記表示工程では、前記複数の項目のうち少なくとも１つの項目について、印刷条件の入力を妨げる原因がある場合、前記少なくとも１つの項目に対応する箇所に、前記原因の内容及び前記原因の数の少なくとも一方を表示する
ことを特徴とする印刷条件設定プログラム。
【請求項８】
前記原因がユーザにより解消可能であるか否かを判断する解消判断工程をさらにコンピュータに実行させ、
前記表示工程では、前記解消判断工程において前記原因が解消可能でないと判断された場合、前記原因の内容を表示する
ことを特徴とする請求項７に記載の印刷条件設定プログラム。
【請求項９】
前記解消判断工程において前記原因が解消可能でないと判断された場合、解消可能でない原因の数をカウントするカウント工程をさらにコンピュータに実行させ、
前記表示工程では、前記カウント工程においてカウントされた原因の数が２以上ある場合、２以上の原因のうち最も優先度が高いものの原因の内容を表示する
ことを特徴とする請求項８に記載の印刷条件設定プログラム。
【請求項１０】
前記原因がユーザにより解消可能であるか否かを判断する解消判断工程と、
前記解消判断工程において前記原因が解消可能であると判断された場合、解消可能である原因の数をカウントするカウント工程と、をさらにコンピュータに実行させ、
前記表示工程では、前記カウント工程においてカウントされた原因の数が２以上ある場合、前記原因の数を表示する
ことを特徴とする請求項７に記載の印刷条件設定プログラム。
【請求項１１】
前記カウント工程においてカウントされた解消可能である原因の数が２以上ない場合に、その原因が予め設定された基本項目に該当するかを判断する基本項目判断工程をさらにコンピュータに実行させ、
前記基本項目判断工程において前記原因が基本項目に該当すると判断された場合、前記原因の内容を表示する
ことを特徴とする請求項１０に記載の印刷条件設定プログラム。
【請求項１２】
前記基本項目判断工程において前記原因が基本項目に該当しないと判断された場合、前記原因の数を表示する
ことを特徴とする請求項１１に記載の印刷条件設定プログラム。
【請求項１３】
印刷機器が印刷を行う際の印刷条件を設定する印刷条件設定方法であって、
複数の項目を表示する表示工程と、
前記表示工程において表示される複数の項目に印刷条件を入力する入力操作を受け付ける操作工程と、を有し、
前記表示工程では、前記複数の項目のうち少なくとも１つの項目について、印刷条件の入力を妨げる原因がある場合、前記少なくとも１つの項目に対応する箇所に、前記原因の内容及び前記原因の数の少なくとも一方を表示する
ことを特徴とする印刷条件設定方法。
【発明の詳細な説明】
【技術分野】
【０００１】
本発明は、印刷条件設定装置、印刷条件設定プログラム及び印刷条件設定方法に関する。
【背景技術】
【０００２】
従来、印刷条件を設定する印刷設定画面において、ある印刷条件が他の印刷条件と競合する禁則が発生した場合、禁則マークを表示する印刷条件設定装置が知られている。また、禁則には、ユーザによって解除可能なものと、ユーザにとって解除不可能なものがあり、解除可能な場合と不可能な場合とで表示する禁則マークの内容を変更する印刷条件設定装置が提案されている（特許文献１参照）。
【特許文献１】特開２０００−２２７８４７号公報
【発明の開示】
【発明が解決しようとする課題】
【０００３】
しかし、従来の印刷条件設定装置では、禁則マークが表示されるのみであるため、禁則の原因等を知るためには、禁則マークをクリックするなどの操作が必要となり、ユーザにとっては煩わしい操作となっていた。なお、この問題は、ある印刷条件と他の印刷条件が競合する禁則の場合に限るものではなく、例えば、中とじキットが存在しないプリンタから中とじを指定して印刷しようとする場合など、単独で印刷条件の入力が妨げられる禁則の場合にも該当する問題である。
【０００４】
本発明は、このような従来の課題を解決するためになされたものであり、その目的とするところは、印刷条件の入力が妨げられる原因等を告知する際にユーザの手間を軽減させることが可能な印刷条件設定装置、印刷条件設定プログラム及び印刷条件設定方法を提供することにある。
【課題を解決するための手段】
【０００５】
上記目的を達成するため、本発明に係る印刷条件設定装置は、印刷機器が印刷を行う際の印刷条件を設定する印刷条件設定装置であって、複数の項目を表示する表示手段と、前記表示手段により表示される複数の項目に印刷条件を入力する入力操作を受け付ける操作手段と、を備え、前記表示手段は、前記複数の項目のうち少なくとも１つの項目について、印刷条件の入力を妨げる原因がある場合、前記少なくとも１つの項目に対応する箇所に、前記原因の内容及び前記原因の数の少なくとも一方を表示することを特徴とする。
【０００６】
また、本発明に係る印刷条件設定プログラムは、印刷機器が印刷を行う際の印刷条件を設定する印刷条件設定プログラムであって、複数の項目を表示する表示工程と、前記表示工程において表示される複数の項目に印刷条件を入力する入力操作を受け付ける操作工程と、をコンピュータに実行させ、前記表示工程では、前記複数の項目のうち少なくとも１つの項目について、印刷条件の入力を妨げる原因がある場合、前記少なくとも１つの項目に対応する箇所に、前記原因の内容及び前記原因の数の少なくとも一方を表示することを特徴とする。
【０００７】
また、本発明に係る印刷条件設定方法は、印刷機器が印刷を行う際の印刷条件を設定する印刷条件設定方法であって、複数の項目を表示する表示工程と、前記表示工程において表示される複数の項目に印刷条件を入力する入力操作を受け付ける操作工程と、を有し、前記表示工程では、前記複数の項目のうち少なくとも１つの項目について、印刷条件の入力を妨げる原因がある場合、前記少なくとも１つの項目に対応する箇所に、前記原因の内容及び前記原因の数の少なくとも一方を表示することを特徴とする。
【発明の効果】
【０００８】
本発明によれば、複数の項目のうち少なくとも１つの項目について、印刷条件の入力を妨げる原因がある場合、少なくとも１つの項目に対応する箇所に、原因の内容及び原因の数の少なくとも一方を表示する。このため、ユーザは、禁則マークをクリックするなどの操作を必要とせず、原因の内容や原因の数を知ることができる。従って、印刷条件の入力が妨げられる原因等を告知する際にユーザの手間を軽減させることができる。
【発明を実施するための最良の形態】
【０００９】
以下に本発明の実施の形態に基づいて、本発明を説明するが、本発明は該実施の形態に限られない。
【００１０】
図１は、本実施形態に係る印刷条件設定装置の全体構成を示す制御ブロック図である。本実施形態に係る印刷条件設定装置１は、例えばパーソナルコンピュータであって、入力部１０、データ記憶部２０、制御部３０、及び出力部４０を備えている。入力部１０は、例えばキーボードやマウスであって、ユーザからの各種入力操作を受け付けるものである。データ記憶部２０は、設定値データ記憶部２１と、禁則情報データ記憶部２２とを備えている。設定値データ記憶部２１は、印刷条件の設定値を記憶するものである。従って、入力部１０を介して印刷条件が変更されると、設定値データ記憶部２１は変更された印刷条件に応じた設定値を記憶することとなる。禁則情報データ記憶部２２は、ある印刷条件が他の印刷条件と競合する禁則、及び、単独で印刷条件の入力が妨げられる禁則を記憶したものである。
【００１１】
図２は、図１に示した禁則情報データ記憶部２２に記憶された記憶内容を示す概念図である。禁則情報データ記憶部２２は、図２に示すような形式で禁則情報を記憶している。具体例を挙げて説明すると、禁則情報２ａは、「（”ＯｐＳｔｉｔｃｈＫｉｔ”＝’Ｎｏｎｅ’），”Ｓｔｉｔｃｈ”＝’ＯＮ’→’ＯＦＦ’／ＧＲＡＹＯＵＴ／Ｍｓｇ＿４０２」と記述されている。ここで、「（”ＯｐＳｔｉｔｃｈＫｉｔ”＝’Ｎｏｎｅ’）」は、中とじキットがないとき、という意味を示し、「”Ｓｔｉｔｃｈ”＝’ＯＮ’→’ＯＦＦ’」は、中とじの項目をオンからオフへ強制変更する、という意味を示している。また、「ＧＲＡＹＯＵＴ」は項目をグレーアウトする、という意味を示し、「Ｍｓｇ＿４０２」はメッセージ４０２を表示する、という意味を示している。すなわち、禁則情報２ａは、
「中とじキットがないとき、中とじの項目をオンからオフへ強制変更してグレーアウトすると共に、メッセージ４０２を表示する」という意味を有することとなる。
【００１２】
同様に、禁則情報２ｂは、「用紙サイズがＡ３のとき、ステープルの項目をオンからオフへ強制変更してグレーアウトすると共に、メッセージ５０１を表示する」という意味を有する。また、禁則情報２ｃは、「用紙サイズがＡ５又はハガキのとき、ステープルの項目をオンからオフへ強制変更してグレーアウトすると共に、メッセージ５０２を表示する」という意味を有する。
【００１３】
図３は、図１に示した禁則情報データ記憶部２２に記憶された禁則情報のテーブルを示す図である。図３に示すように、プリンタなどの印刷機器に中とじキットが無い場合に、ユーザが中とじの項目をオンしようとすると、禁則が発生することとなる（符号３ａ参照）。同様に、用紙サイズがＡ３の場合に、ユーザがステープルの項目をオンにしようとすると、禁則が発生することとなる（符号３ｂ参照）。また、用紙サイズがＡ５又はハガキの場合に、ユーザが中とじの項目をオンしようとすると、禁則が発生することとなる（符号３ｃ，３ｄ参照）。
【００１４】
さらに、ソートオフのときにユーザが中とじの項目をオンしようとした場合（符号３ｅ参照）、ステープルオンのときにユーザが用紙サイズをＡ３にしようとした場合（符号３ｆ参照）、ステープルオンのときにユーザが中とじの項目をオンにしようとした場合（符号３ｇ参照）、いずれについても禁則が発生することとなる。
【００１５】
さらには、中とじオンのときに、ユーザが用紙サイズをＡ５やハガキに使用とした場合（符号３ｈ，３ｉ参照）、ソートをオフにしようとした場合（符号３ｊ参照）、及び、ステープルをオンにしようとした場合（符号３ｋ参照）についても禁則が発生することとなる。
【００１６】
なお、図３は、禁則情報の一例を示すものであって、禁則情報は図３に示したものに限られない。図４は、管理者によって操作されるオプション設定画面を示す図である。例えば、印刷機器にパンチキットがあるにも拘わらず、管理者がパンチキットのオプションをユーザに使用させないために、パンチキットなしと設定することがある（符号４ａ参照）。このような場合、ユーザがパンチキットを使用しようとすると、禁則に該当することとなる。なお、このような管理者による設定についても、禁則情報データ記憶部２２に記憶されることとなる。
【００１７】
なお、管理者による設定は、パンチキットのみに限らず、例えば給紙トレイに関するもの（符号４ｂ参照）であってもよいし、他の項目であってもよい。
【００１８】
再度、図１を参照する。制御部３０は、印刷条件設定装置１の全体を制御するものである。この制御部３０は、禁則の原因がユーザによって解消可能か否かを判断する解消判断機能、禁則の原因数をカウントするカウント機能、及び、禁則の原因が予め設定された基本項目に該当するか否かを判断する基本項目判断機能などを備えている。
【００１９】
出力部４０は、例えば液晶ディスプレイである。ユーザは、出力部４０に表示される表示内容を参照しつつ、印刷条件を設定する操作を入力部１０に対して行うこととなる。
【００２０】
次に、本実施形態に係る印刷条件設定プログラムによって、印刷条件設定装置１に実行される印刷条件設定方法について説明する。図５は、印刷条件を設定する際の画像表示例を示す図である。
【００２１】
図５に示すように、出力部４０は、印刷条件についての複数の項目５ａ〜５ｆを表示している。ユーザは、入力部１０を介して複数の項目５ａ〜５ｆに印刷条件を入力することができる。特に図５に示す表示画面において禁則が発生した場合、出力部４０は、制御部３０からの制御によって、禁則マーク１００ａ，１００ｂ、禁則の原因の内容１０１、及び禁則の原因数１０２が表示する。
【００２２】
なお、禁則マーク１００ａは、例えば白色によって表現された「！」であり、禁則の原因がユーザによって解消可能であることを示している。また、禁則マーク１００ｂは、例えば黄色によって表現された「！」であり、禁則の原因がユーザによって解消可能でないことを示している。また、禁則の原因の内容１０１は、プリンタの外観を示したマークであり、禁則の原因がオプション設定によるものであることを示している。なお、禁則の原因の内容１０１は、オプション設定を示すものに限らず、用紙サイズ、給紙トレイ、用紙種類等の表現するマークであってもよい。
【００２３】
図６は、印刷条件設定プログラムによって、印刷条件設定装置１に実行される印刷条件設定方法の詳細を示すフローチャートであり、図７は、禁則があった場合における禁則の表示例を示す図である。
【００２４】
図６に示すように、まず制御部３０は、禁則となる項目があるか否かをチェックする（Ｓ１）。そして、制御部３０は、ステップＳ１におけるチェック結果に従って、禁則となる項目があったか否かを判断する（Ｓ２）。禁則となる項目がなかったと判断した場合（Ｓ２：ＮＯ）、処理は終了する。
【００２５】
禁則となる項目があったと判断した場合（Ｓ２：ＹＥＳ）、制御部３０は、禁則の原因にユーザが解消不可なものが含まれているか否かを、解消判断機能によって判断する（Ｓ３）。禁則の原因にユーザが解消不可なものが含まれていると判断した場合（Ｓ３：ＹＥＳ）、制御部３０は、カウント機能によってユーザが解消可能でない禁則の原因数をカウントする（Ｓ４）。
【００２６】
そして、制御部３０は、解消可能でない禁則の原因数が「２」以上であるか否かを判断する（Ｓ５）。解消可能でない禁則の原因数が「２」以上あると判断した場合（Ｓ５：ＹＥＳ）、２以上の禁則の原因のうち、優先度が最も高いものを選択する（Ｓ６）。そして、制御部３０は、図７（ａ）に示すように、禁則が発生している項目をグレーアウトすると共に、その項目に隣接させて禁則マーク１００ｂと、ステップＳ６において選択された禁則の原因の内容１０１を表示させる（Ｓ７）。その後、図６に示す処理は終了する。
【００２７】
一方、解消可能でない禁則の原因数が「２」以上ないと判断した場合（Ｓ５：ＮＯ）、すなわち、原因数が「１」である場合、制御部３０は、図７（ａ）に示すように、禁則が発生している項目をグレーアウトすると共に、その項目に隣接させて禁則マーク１００ｂと禁則の原因の内容１０１を表示させる（Ｓ７）。その後、図６に示す処理は終了する。
【００２８】
ところで、禁則の原因にユーザが解消不可なものが含まれていないと判断した場合（Ｓ３：ＮＯ）、制御部３０は、カウント機能によってユーザが解消可能である禁則の原因数をカウントする（Ｓ８）。
【００２９】
そして、制御部３０は、解消可能である禁則の原因数が「２」以上であるか否かを判断する（Ｓ９）。解消可能である禁則の原因数が「２」以上あると判断した場合（Ｓ９：ＹＥＳ）、制御部３０は、図７（ｂ）に示すように、禁則が発生している項目をグレーアウトすると共に、その項目に隣接させて禁則マーク１００ａと、ステップＳ８においてカウントされた禁則の原因数１０２を表示させる（Ｓ１０）。その後、図６に示す処理は終了する。
【００３０】
一方、解消可能である禁則の原因数が「２」以上ないと判断した場合（Ｓ９：ＮＯ）、すなわち禁則の原因が１つである場合、制御部３０は、基本項目判断機能によって、禁則の原因が基本項目に該当するか否かを判断する（Ｓ１１）。ここで、基本項目とは、例えば用紙サイズ、用紙トレイ及び用紙種類などが該当する。
【００３１】
基本項目に該当すると判断した場合（Ｓ１１：ＹＥＳ）、制御部３０は、図７（ｃ）に示すように、禁則が発生している項目をグレーアウトすると共に、その項目に隣接させて禁則マーク１００ａと、禁則の原因の内容１０１を表示させる（Ｓ１２）。その後、図６に示す処理は終了する。
【００３２】
一方、基本項目に該当しないと判断した場合（Ｓ１１：ＮＯ）、制御部３０は、図７（ｂ）に示すように、禁則が発生している項目をグレーアウトすると共に、その項目に隣接させて禁則マーク１００ａと、ステップＳ８においてカウントされた禁則の原因数１０２を表示させる（Ｓ１０）。その後、図６に示す処理は終了する。
【００３３】
このように、本実施形態では、解消可能な禁則の原因が基本項目である場合に限り、原因の内容１０１を表示している。一般に解消可能な禁則の原因は多く存在し、それらについて原因を表示しようとすると、原因の内容１０１を示すマーク数が多くなり、却ってユーザにとって原因が何であるか分かり難くなってしまうためである。このため、本実施形態では、解消可能な禁則の原因が１つであっても、基本項目に該当する場合のみに原因の内容１０１を示すマークを表示することとしている。
【００３４】
このようして、本実施形態に係る印刷条件設定装置１、印刷条件設定プログラム、及び印刷条件設定方法によれば、複数の項目５ａ〜５ｆ等のうち少なくとも１つの項目について、印刷条件の入力を妨げる原因がある場合、少なくとも１つの項目に対応する箇所に、原因の内容１０１及び原因の数１０２の少なくとも一方を表示する。このため、ユーザは、禁則マーク１００ａ，１００ｂをクリックするなどの操作を必要とせず、原因の内容１０１や原因の数１０２を知ることができる。従って、印刷条件の入力が妨げられる原因等を告知する際にユーザの手間を軽減させることができる。
【００３５】
また、原因がユーザにより解消可能であるか否かを判断し、原因が解消可能でないと判断された場合、その原因の内容１０１を表示する（ステップＳ３〜Ｓ７）。このように、原因を解消できない場合に原因の内容１０１を表示することで、解消不可能であることをユーザに素早く認識させ、ユーザが原因を解消しようとしてしまう事態を抑制することができる。
【００３６】
また、原因が解消可能でないと判断された場合、解消可能でない原因の数をカウントし、カウントされた原因の数が２以上ある場合、２以上の原因のうち最も優先度が高いものを選択し（ステップＳ６）、選択された原因の内容を表示する（ステップＳ７）。ここで、解消できない原因が存在する場合、その原因全てをユーザに提示しても却って分かり難くなってしまう。そこで、２以上の原因のうち最も優先度が高いものの内容を表示することで、解消できない旨をユーザに分かり易く提示することができる。
【００３７】
また、原因が解消可能であると判断された場合、解消可能である原因の数をカウントし、カウントされた原因の数が２以上ある場合、原因の数１０２を表示する（ステップＳ１０）。これにより、ユーザが印刷条件を設定するにあたり解消しなければならない原因の数を知ることができ、その多さ等に応じて解消するか否かの判断をユーザに委ねることができ、利便性を向上させることができる。
【００３８】
また、カウントされた解消可能である原因の数が２以上ない場合に、その原因が予め設定された基本項目に該当するかを判断し（ステップＳ１１）、基本項目に該当すると判断された場合、原因の内容を表示する（ステップＳ１２）。ここで、原因が１つである場合には、なるべく原因の内容をユーザに提示した方が良いと考えられるが、基本項目に該当しない原因（例えばユーザにとって分かり難い原因）の内容を提示したとしても、ユーザにとっては馴染みが無く、却って分かり難くなる可能性がある。そこで、基本項目に該当する原因（例えばユーザにとって分かり易い原因）のみについて、原因の内容１０１を提示することで、一層利便性を向上させることができる。
【００３９】
また、解消可能である原因の数が２以上ない場合に、その原因が基本項目に該当しないと判断された場合、原因の数１０２を表示する。このため、基本項目に該当しない原因（例えばユーザにとって分かり難い原因）の内容を提示して、却ってユーザにとって分かり難くなってしまう可能性を防止することができる。
【００４０】
以上、本発明に係る印刷条件設定装置、印刷条件設定プログラム、及び印刷条件設定方法を実施形態に基づいて説明したが、本発明はこれに限定されるものではなく、本発明の趣旨を逸脱しない範囲で、変更を加えてもよい。
【００４１】
例えば、上記実施形態では、禁則マーク１００ａ，１００ｂを表示したうえで、禁則の原因の内容１０１や原因数１０２を表示しているが、これに限らず、禁則マーク１００ａ，１００ｂを表示することなく、禁則の原因の内容１０１や原因数１０２を表示してもよい。
【図面の簡単な説明】
【００４２】
【図１】本実施形態に係る印刷条件設定装置の全体構成を示す制御ブロック図である。
【図２】図１に示した禁則情報データ記憶部２２に記憶された記憶内容を示す概念図である。
【図３】図１に示した禁則情報データ記憶部２２に記憶された禁則情報のテーブルを示す図である。
【図４】管理者によって操作されるオプション設定画面を示す図である。
【図５】印刷条件を設定する際の画像表示例を示す図である。
【図６】印刷条件設定プログラムによって、印刷条件設定装置１に実行される印刷条件設定方法の詳細を示すフローチャートである。
【図７】禁則があった場合における禁則の表示例を示す図であり、（ａ）は第１の表示例を示し、（ｂ）は第２の表示例を示し、（ｃ）は第３の表示例を示している。
【符号の説明】
【００４３】
１  印刷条件設定装置
１０  入力部
２０  データ記憶部
２１  設定値データ記憶部
２２  禁則情報データ記憶部
３０  制御部
４０  出力部
１００ａ，１００ｂ  禁則マーク
１０１  原因の内容マーク
１０２  原因数マーク
【図１】
2010066819.tif 000003
【図２】
2010066819.tif 000004
【図３】
2010066819.tif 000005
【図４】
2010066819.tif 000006
【図５】
2010066819.tif 000007
【図６】
2010066819.tif 000008
【図７】
2010066819.tif 000009